(57)【要約】　　　（修正有）【課題】根切り作業の労力を軽減すると共に、作業時間を短縮することができる工具を提供する。【解決手段】回転駆動部２と、その駆動部から出る駆動軸１１の端部に設けられ回転形状が円盤状の回転根切りカッター３と、回転駆動部に結合され根切りカッターを下側に位置させた状態で円盤状の下面を水平面に沿わせて水平方向に移動操作可能に設けた把持部４と、を有する。把持部と一体的に形成され、根切りカッターの上側及び周囲の大部分を覆い根切り切削の溝深さに対応して根切りカッターが露出するようにカバー部５を設けた。カバー部に立枠表面に当接して溝深さを規制する溝深さ調節可能なストッパー６を設けた。カバー部の下端縁２２を、根切りカッターの円盤状回転形状の下面高さと同じか又は下面よりも僅かに下方へ突出するように設けた。【選択図】　　　　図２
2004136571.tif 000002
【特許請求の範囲】
【請求項１】
回転駆動部と、その回転駆動部からでる駆動軸の端部に設けられ回転形状が円盤状の回転根切りカッターと、前記回転駆動部に結合され前記根切りカッターを下側に位置させた状態で前記円盤状の下面を水平面に沿わせて水平方向に移動操作可能に設けた把持部と、を有する立枠の根切り工具。
【請求項２】
請求項１に記載の立枠の根切り工具において、前記把持部と一体的に形成され、前記根切りカッターの上側及び周囲の大部分を覆い根切り切削の溝深さに対応して根切りカッターが露出するようにカバー部を設けたことを特徴とする立枠の根切り工具。
【請求項３】
請求項２に記載の立枠の根切り工具において、前記カバー部に立枠表面に当接して前記溝深さを規制する溝深さ調節可能なストッパーを設けたことを特徴とする立枠の根切り工具。
【請求項４】
請求項２に記載の立枠の根切り工具において、前記カバー部の下端縁を、前記根切りカッターの前記円盤状回転形状の下面高さと同じか又は下面よりも僅かに下方へ突出するように設けたことを特徴とする立枠の根切り工具。
【発明の詳細な説明】
【０００１】
【発明の属する技術分野】
本発明は、建築物の間仕切り用に設けられる立枠の床面に近接した下部に、フローリングを施工するための横方向の溝を切削形成する根切り工具に関する。
【０００２】
【従来の技術】
従来、このような立枠の溝加工は、いわゆる根切りと称するもので、フローリング材の厚さに対応した横方向の溝を、既に取付けられている木製の立枠下部に床のコンクリート面に沿って形成する。その加工方法は、根切りしようとする立枠下部付近のコンクリート床面にフローリング材を置いて、その上面を基準に、つまり上面に手引き鋸の側面を沿わせて適当な深さに切れ目を入れる。また、立枠下部がコンクリートの床に埋設されているものでは、コンクリート面に沿って手引き鋸で切れ目を入れる。そして上下に形成した切れ目の間をのみによって削り取って溝を形成するのである。なお、フローリング材は、この溝に端縁部を嵌め込んで敷き詰められる。
【０００３】
【発明が解決しようとする課題】
前述した従来の根切り作業は、手引きのことのみによる作業であり、かなりの労力を必要とする問題がある。また、溝深さは感に頼るので、ある程度の熟練が必要である。そして、立枠下端部がコンクリートに埋設された状態である場合には、コンクリート床面に沿うように鋸で切れ目を入れるから、熟練者であっても鋸の損耗が激しい問題もある。
本発明は、根切り作業の労力を軽減すると共に、作業時間を短縮することができる工具を提供することを課題とする。
【０００４】
【課題を解決するための手段】
本発明の立枠の根切り工具は、回転駆動部と、その回転駆動部からでる駆動軸の端部に設けられ回転形状が円盤状の回転根切りカッターと、前記回転駆動部に結合され前記根切りカッターを下側に位置させた状態で前記円盤状の下面を水平面に沿わせて水平方向に移動操作可能に設けた把持部と、を有する。
【０００５】
この手段では、所定幅の溝を切削できる刃幅の回転カッターを使用し、把持部を持って、回転駆動部によって回転している根切りカッターの外周縁の一部を根切りしようとする立枠の下部に押付けるようにして切削する溝深さに相当する切込みを行い、そのまま床面及び立枠の面に沿って水平移動させることにより、根切り切削が行なわれる。つまりカッターの刃幅に対応した溝が立枠下部に床面に沿って切削形成される。従って、この工具を使用することにより、手引き鋸やのみを使う作業に比べると労力を軽減でき、一定した溝幅で、迅速に、根切りを行なうことができる。
【０００６】
前記手段において、前記把持部と一体的に形成され、前記根切りカッターの上側及び周囲の大部分を覆い根切り切削の溝深さに対応して根切りカッターが露出するようにカバー部を設けた構成とするのが良い。この構成では、カッターの刃の大部分が覆われるから作業者が誤って刃に触れ難く、けがを防止でき、また、切り屑の無制限な飛散を抑制できる。
【０００７】
前記手段において、前記カバー部に立枠表面に当接して前記溝深さを規制する溝深さ調節可能なストッパーを設けた構成とするのが良い。この構成では、切削する溝の深さ方向に根切り工具を押付けたときストッパーが立枠表面に当接してそれ以上の深さに切削できないようにするから、常にこの当接した状態で水平方向に移動させると、一定した深さの溝を形成できる。
【０００８】
前記手段において、前記カバー部の下端縁を、前記根切りカッターの前記円盤状回転形状の下面高さと同じか又は下面よりも僅かに下方へ突出するように設けた構成とするのが良い。カバー部の下端縁を床面に当接させた状態で根切りを行なうと、切削された溝の下側の側縁が床面とほぼ一致する。また切削中に根切りカッターの下側が床面にあまり接触しないから、カッターの損耗が少ない。
【０００９】
【発明の実施の形態】
本発明の一実施形態を、図１〜図３を用いて説明する。この立枠の根切り工具１は、回転駆動部２、根切り用回転カッター３、把持部４、カバー５、溝深さ調節用ストッパー６等、を有する電動手持ち工具である。
回転駆動部２は、電気モータ１０で構成してあり、使用姿勢で下向きに突出していて下端にカッター３を取付ける駆動軸１１を有する。なお、回転駆動部２はケース１２内に収容したものであるが、モータの冷却ファンや通気窓等は、通常の電動工具に適用される構成であるので、図示説明を省略する。
【００１０】
根切り用回転カッター３（以下カッター３と記す）は、回転形状が円盤上のものでその外周部分に所定断面形状の溝を切削形成できるように、例えば、一般的な寸法の溝で、幅ｗは１２ｍｍ、深さｄは１０〜２０ｍｍの矩形断面形状の溝１３を切削できる刃を備えている。カッター３は木工用であるが、片側の側面はコンクリート床面１４と接触することがあるので耐磨耗性を考慮したものとしておくのが良い。また、カッター３を駆動軸１１に取付けたときに、図２（ｂ）に見られるように、軸の下端がカッター３の下面から突出しないように、カッター３の下面中央部に凹部１６を設けてあり、上面はその分凸になっている。カッター取付けねじ１５はその凹部１６内に位置する。
【００１１】
把持部４は、根切り工具１を手持ち操作するためのもので、回転駆動部２のケース１２と一体的に形成され、図２ａに示すように、ケース１２の上端部から後方（図の右方）へ延びる横部１７と、続いて下方へ延びる縦部１８と、さらに前方へ延びてケース１２側（後述するカバー５）に連なる下部１９とで構成されている。この把持部４は横部１７を片手で握って根切り工具１を支持して使用できるようになっている。図中、２０は回転駆動部に電力をオン・オフするスイッチ、２１は電源コードである。
【００１２】
カバー５は、回転駆動部２のケース１２の下端部に連なり、カッター３の上側及び外周を、適当な間隔を隔てて覆い且つ部分的に欠除させてあり、前側で露出したカッター３の外周部分で根切り切削できるように、つまり溝を切削できるようになっている。カバー５は下方に開放されており、下端縁２２が、カッター３の回転形状の下面２１の高さ位置と同じか又は下面よりも僅かに下方へ突出するように設けられている。これは平坦なコンクリート床面１４に置かれる使用状態で、カッター３の下面がコンクリート床面１４に強く押付けられることが無いように又は接触しないようにしてカッター３の損耗を最小限に止めると共に、切削形成する溝１３の下側の側面２３がコンクリート床面１４とできるだけ一致するようにしたものである。なお、前記ケース１２、把持部４、カバー５は、一体的に形成したものを図示説明したが、例えば、ダイカストや合成樹脂等で形成する場合、必要に応じて適当に分割形成して結合するものとする。
【００１３】
溝深さ調節用ストッパー６（以下ストッパー６と記す）は、図１ａ、図２ａに見られるように、カバー５の欠除した前側端縁２４から所定寸法突出するように部材２５を設けたものである。部材２５は、カバー５上面の両側に、長孔２６を介してねじ２７により固定され、カバー前側端縁２４からの突出量を任意に調節できるようになっている。これは、図１（ａ）又は図２（ｂ）に示すように、部材２５、２５の先端を結ぶ位置がカッター３による切込み深さを制限する、つまり溝深さｄを規定するものである。
【００１４】
このように構成された立枠の根切り工具１は、ストッパー６を形成する溝１３の深さｄに対応するように、例えば、部材２５、２５よりもカッター３が１５ｍｍ突出するように、調節しておいて使用する。その根切り作業の概略は、スイッチ２０を操作してカッター３を回転させ、図１（ａ）、図２（ｂ）に示すように、設置されている立枠２８の下部にあるコンクリート床面１４に根切り工具１を載せ、カッター３が露出している前側を立枠２８に押付けてストッパー６（部材２５、２５の先端）が立枠２８の表面に当たるまで切り込み、そのストッパー６が当接した状態を維持しながら立枠２８の表面とコンクリート床面１４とに沿って水平移動させることにより、所望範囲に溝１３を切削形成する。これによって立枠２８の下部に深さ１５ｍｍで、所定幅ｗの溝１３が所望範囲にわたって形成される。図１（ａ）において、３０はカッターの回転方向、３１は根切り工具の移動方向を示す矢印である。
【００１５】
この根切り工具１による立枠の根切り作業は、根切り工具１を持って立枠に押付けるようにしながら水平に移動させていくことであるから、非常に操作が簡単である。従って殆ど熟練を要しない作業である。しかも、従来の手引き鋸及びのみを用いる作業に比べると、格段と作業時間が短く、また、形成された溝１３の溝幅や溝深さが均一である。
【００１６】
なお、実施形態においては、ストッパー６を、両側に部材２５、２５を設けたものを示したが、一方を省略して片側の部材２５と省略した側のカバー５の端縁とにより溝の深さを決めるようにしても良く、また場合によっては双方の部材２５、２５を省略してカバー５の前側端縁２４で代用しても良い。
【００１７】
【発明の効果】
請求項１に記載の発明は、労力を軽減でき、一定した溝幅で、迅速に根切りを行なうことができる効果を奏する。
請求項２に記載の発明は、けがを防止でき、切り屑の無制限な飛散を抑制できる効果を奏する。
請求項３に記載の発明は、一定した深さの溝を形成できる効果を奏する。
請求項４に記載の発明は、切削された溝の下側の側縁が床面とほぼ一致して理想的な根切り状態となり、またカッターの損耗が少なくなる効果を奏する。
【図面の簡単な説明】
【図１】本発明の一実施形態の概略を示し、（ａ）は平面図、（ｂ）は底面図である。
【図２】同実施形態の概略を示し、（ａ）は側面図、（ｂ）は部分断面側面図である。
【図３】同実施形態の概略を示し、（ａ）は正面図、（ｂ）は背面図である。
【符号の説明】
１　　　縦枠の根切り工具
２　　　回転駆動部
３　　　回転カッター
４　　　把持部
５　　　カバー
６　　　ストッパー
１０　　電気モータ
１１　　駆動軸
１２　　ケース
１３　　溝
１４　　コンクリート床面
１５　　カッター取り付けねじ
１６　　凹部
１７　　横部
１８　　縦部
１９　　下部
２０　　スイッチ
２１　　電源コード
２２　　下端縁
２３　　側面
２４　　前川端縁
２５　　部材
２６　　長孔
２７　　ねじ
２８　　縦枠
ｄ　　　溝深さ
ｗ　　　溝幅
【図１】
2004136571.tif 000003
【図２】
2004136571.tif 000004
【図３】
2004136571.tif 000005